(57)【要約】【課題】  レンズアレイとイメージセンサの組み付け位置精度が高く、歩留まりが高い、簡素な構造の撮像ユニット、撮像ユニットの製造方法及び画像形成装置を提供する。【解決手段】  レンズアレイと、前記レンズアレイの長手方向に延びる側壁に接合されている第一ハウジングと、前記レンズアレイを前記第一ハウジングとの間に挟んだ状態で前記第一ハウジングと結合されている第二ハウジングと、前記第一ハウジングと前記第二ハウジングとにより受光面への前記レンズアレイの透過光以外の光の入射を遮られた状態で前記第一ハウジング又は前記第二ハウジングに固定されているイメージセンサと、を備える。【選択図】    図１
2006311232.tif 000002
【特許請求の範囲】
【請求項１】
レンズアレイと、
前記レンズアレイの長手方向に延びる側壁に接合されている第一ハウジングと、
前記レンズアレイを前記第一ハウジングとの間に挟んだ状態で前記第一ハウジングと結合されている第二ハウジングと、
前記第一ハウジングと前記第二ハウジングとにより受光面への前記レンズアレイの透過光以外の光の入射を遮られた状態で前記第一ハウジング又は前記第二ハウジングに固定されているイメージセンサと、
を備えることを特徴とする撮像ユニット。
【請求項２】
前記レンズアレイの前記側壁は、前記第一ハウジングに両面テープで接合されていることを特徴とする請求項１に記載の撮像ユニット。
【請求項３】
前記イメージセンサは前記第一ハウジングに固定されていることを特徴とする請求項１又は２に記載の撮像ユニット。
【請求項４】
前記第一ハウジングと前記第二ハウジングは熱かしめにより互いに結合されていることを特徴とする請求項１から３のいずれか一項に記載の撮像ユニット。
【請求項５】
レンズアレイの長手方向に延びる側壁と第一ハウジングとを前記レンズアレイの光軸の方向に位置合わせした状態で前記レンズアレイを前記第一ハウジングに対して前記側壁と垂直な方向に接近させることにより、前記第一ハウジングの外壁に前記レンズアレイの前記側壁を接合するレンズ接合工程と、
イメージセンサの受光面への前記レンズアレイの透過光以外の光の入射を前記第一ハウジングとともに遮る第二ハウジングを、前記レンズアレイが固定されている前記第一ハウジングと結合するハウジング結合工程と、
を含むことを特徴とする撮像ユニットの製造方法。
【請求項６】
前記レンズ接合工程において、前記第一ハウジングに前記レンズアレイを両面テープで接合することを特徴とする請求項５に記載の撮像ユニットの製造方法。
【請求項７】
前記ハウジング結合工程において、前記第一ハウジングと前記第二ハウジングとを熱かしめにより結合することを特徴とする請求項５又は６に記載の撮像ユニットの製造方法。
【請求項８】
対象物を位置決めするプラテンと、
前記プラテンに位置決めされた前記対象物を撮像する請求項１から４のいずれか一項に記載の撮像ユニットと、
を備えることを特徴とする画像形成装置。
【発明の詳細な説明】
【技術分野】
【０００１】
本発明は撮像ユニット、その製造方法及び画像形成装置に関する。
【背景技術】
【０００２】
従来、イメージセンサと、対象物の正立等倍像をイメージセンサの受光面に形成するレンズアレイとが組み込まれた、所謂密着型の撮像ユニットが知られている。このような撮像ユニットでは、射出成形により一体成形されたハウジングのスリットにレンズアレイが挿入され、レンズアレイとイメージセンサとがレンズアレイの短手方向に位置合わせされている（例えば特許文献１、特許文献２）。
しかしながら、ハウジングの射出成形に用いられる金型のスリットに対応する部分は細長く薄い板状になり、その部分の長手方向中央部は冷却されにくいため、スリットの中央部がくびれる傾向がある。この結果、ハウジングのスリットの側壁によって位置決めされるレンズアレイの光軸がイメージセンサに対してずれたり、スリットにレンズアレイを挿入する際にハウジングが削れ、削り屑がレンズアレイやイメージセンサに付着して歩留まりが低下するという問題がある。
【０００３】
一方、組立て後にレンズアレイとイメージセンサの受光面との距離を調整可能な撮像ユニットが知られている（例えば特許文献１、特許文献２に記載の従来技術）。このような撮像ユニットは、例えばレンズアレイを光軸方向に移動可能に支持するレンズフォルダと、レンズアレイを光軸方向に移動させるためのねじと、を備えている。ねじを締め付けたり緩めたりすることによりレンズアレイとイメージセンサの受光面との距離を調整することができる。しかしながら、上述したようなレンズアレイの位置調整構造が必要であるため、部品点数が増大し構造が複雑化するという問題がある。
【特許文献１】特許第２１３８４５３号
【特許文献２】特許第２９５３５９５号
【発明の開示】
【発明が解決しようとする課題】
【０００４】
本発明は、上記の問題に鑑みてなされたものであって、レンズアレイとイメージセンサの組み付け位置精度が高く、歩留まりが高い、簡素な構造の撮像ユニット、撮像ユニットの製造方法及び画像形成装置を提供することを目的とする。
【課題を解決するための手段】
【０００５】
（１）上記目的を達成するための撮像ユニットは、レンズアレイと、前記レンズアレイの長手方向に延びる側壁に接合されている第一ハウジングと、前記レンズアレイを前記第一ハウジングとの間に挟んだ状態で前記第一ハウジングと結合されている第二ハウジングと、前記第一ハウジングと前記第二ハウジングとにより受光面への前記レンズアレイの透過光以外の光の入射を遮られた状態で前記第一ハウジング又は前記第二ハウジングに固定されているイメージセンサと、を備える。
レンズアレイの長手方向に延びる側壁は第一ハウジングに接合されている。レンズアレイの側壁に対向する第一ハウジングの外壁は、肉厚の金型で形成することができるため、従来の射出成形によって形成されるスリットの側壁と比較して平坦に形成できる。したがって、レンズアレイを第一ハウジングの外壁に接合することよって、レンズアレイをイメージセンサに対してレンズアレイの短手方向に精度よく位置決めして組み付けることができる。またレンズアレイを挟む第一ハウジングと第二ハウジングは別体であるため、第一ハウジングにレンズアレイを接合した後に第一ハウジングに第二ハウジングを結合することによって、レンズアレイの透過光以外の光のイメージセンサへの入射を遮ることができる。したがって、レンズアレイを挟む第一ハウジングと第二ハウジングを別体で構成することにより、従来のようにハウジングに形成したスリットにレンズアレイを挿入することにより発生する削り屑がレンズアレイやイメージセンサに付着することを防止し、撮像ユニットの歩留まりを向上することができる。また上述したようにレンズアレイを挟む第一ハウジングと第二ハウジングは別体であるため、第一ハウジングに第二ハウジングを組み付ける前にレンズアレイを第一ハウジングに対してレンズアレイの側壁と垂直な方向に接近させることにより、レンズアレイの側壁を第一ハウジングに接合することができる。このときレンズアレイの側壁と第一ハウジングとをレンズアレイの光軸の方向に位置合わせした状態で第一ハウジングにレンズアレイを接近させることができるため、レンズアレイを第一ハウジングに対してレンズアレイの光軸方向に精度よく位置決めすることができる。この結果、組立て後にレンズアレイとイメージセンサの受光面との距離を調整する必要がないため、従来のようにレンズアレイとイメージセンサの受光面との距離を調整する位置調整構造を備える必要がなく、部品点数を削減でき撮像ユニットの構造を簡素化することができる。ここで「接合」とは複数の物が互いに直接固着していることを意味し、「結合」とは複数の物が結び合わさっていることを意味する。「結合」は「接合」を含む概念である。例えば、第一ハウジングと結合されている第二ハウジングは、第一ハウジングに固着されていてもよいし、ねじなどにより第一ハウジングに係止されていてもよい。
【０００６】
（２）前記レンズアレイの前記側壁は、前記第一ハウジングに両面テープで接合されていてもよい。
ハウジングにレンズアレイを接着剤で接合する場合、接着剤を硬化させるために複数のレンズアレイ及びハウジングを一度に加熱するバッチ処理が製造工程に組み込まれ、その結果単位時間あたりに製造可能な製品数が抑制される。レンズアレイを第一ハウジングに両面テープで接合することにより、単位時間当たりに製造可能な製品数を増大させることができ、接着剤塗布機のような大型の設備が不要になる。
【０００７】
（３）前記イメージセンサは前記第一ハウジングに固定されていてもよい。
レンズアレイが接合される第一ハウジングにイメージセンサを固定することにより、レンズアレイをイメージセンサに対してより精度よく位置決めして組み付けることができる。
【０００８】
（４）前記第一ハウジングと前記第二ハウジングは熱かしめにより互いに結合されていてもよい。
第一ハウジングと第二ハウジングとを熱かしめに結合することにより、これらを接着剤で結合する場合と比較して単位時間当たりに製造可能な製品数を増大させることができ、接着剤塗布機のような大型の設備が不要になる。
【０００９】
（５）上記目的を達成するための撮像ユニットの製造方法は、レンズアレイの長手方向に延びる側壁と第一ハウジングとを前記レンズアレイの光軸の方向に位置合わせした状態で前記レンズアレイを前記第一ハウジングに対して前記側壁と垂直な方向に接近させることにより、前記第一ハウジングの外壁に前記レンズアレイの前記側壁を接合するレンズ接合工程と、イメージセンサの受光面への前記レンズアレイの透過光以外の光の入射を前記第一ハウジングとともに遮る第二ハウジングを、前記レンズアレイが固定されている前記第一ハウジングと結合するハウジング結合工程と、を含む。
レンズアレイの長手方向に伸びる側壁と第一ハウジングとをレンズアレイの光軸の方向に位置決めした状態で前記レンズアレイを前記第一ハウジングに対して前記側壁と垂直な方向に接近させることにより、レンズアレイの側壁を第一ハウジングの外壁に接合するため、レンズアレイと第一ハウジングとをレンズアレイの光軸の方向に精度よく位置合わせして結合することができる。この結果、組立て後にレンズアレイとイメージセンサの受光面との距離を調整する必要がないため、レンズアレイとイメージセンサの受光面との距離を調整する位置調整構造を備える必要がなく、部品点数を削減でき撮像ユニットの構造を簡素化することができる。またレンズアレイの側壁に対向する第一ハウジングの外壁は、肉厚の金型で形成することができるため、従来の射出成形によって形成されるスリットの側壁と比較して平坦に形成できる。したがって、レンズアレイを第一ハウジングの外壁に接合することよって、レンズアレイをイメージセンサに対してレンズアレイの短手方向に精度よく位置決めして組み付けることができる。またレンズアレイを挟む第一ハウジングと第二ハウジングを別体で構成することにより、従来のようにハウジングに形成したスリットにレンズアレイを挿入することにより発生する削り屑がレンズアレイやイメージセンサに付着することを防止し、撮像ユニットの歩留まりを向上することができる。
【００１０】
（６）前記レンズ接合工程において、前記第一ハウジングに前記レンズアレイを両面テープで接合してもよい。
レンズアレイを第一ハウジングに両面テープで接合することにより、これらを接着剤で接合する場合と比較して単位時間当たりに製造可能な製品数を増大させることができ、接着剤塗布機のような大型の設備が不要になる。
【００１１】
（７）前記ハウジング結合工程において、前記第一ハウジングと前記第二ハウジングとを熱かしめにより結合してもよい。
第一ハウジングと第二ハウジングとを熱かしめに結合することにより、これらを接着剤で結合する場合と比較して単位時間当たりに製造可能な製品数を増大させることができ、接着剤塗布機のような大型の設備が不要になる。
【００１２】
（８）上記目的を達成するための画像形成装置は、対象物を位置決めするプラテンと、前記プラテンに位置決めされた前記対象物を撮像する前記撮像ユニットと、を備える。
【発明を実施するための最良の形態】
【００１３】
（第一実施例）
以下、本発明の実施の形態を一実施例に基づいて説明する。
図２は本発明の一実施例としての画像形成装置としてのイメージスキャナ（以下、スキャナという。）１の模式図であり、図３はスキャナ１のブロック図である。尚、画像形成装置は、複合機、複写機、複写機能のあるファクシミリなどでもよい。
図２に示すように、スキャナ１のハウジング２は上方が開口した箱形に形成されており、開口側に原稿台６を支持している。原稿台６は概ね矩形のガラス板などの透明な板から形成されている。プラテンとしての原稿台６の盤面には対象物としての原稿８が載置される。
【００１４】
図３に示すイメージセンサ３は、直線状に配列された複数の受光素子４（図１参照）、ＭＯＳトランジスタスイッチ等で構成されている。イメージセンサ３は受光素子４の受光面４ａに入射した原稿８からの光の光量に応じた電気信号を出力する。以下、受光素子４の配列方向を「主走査方向」という。
ＡＦＥ部３０は、ＣＤＳ（相関二重サンプリング）等によるノイズ除去、Ａ／Ｄ変換等の機能を有する。画像処理部３１は、ガンマ補正、先鋭化処理、モアレの除去処理、シェーディング補正、欠陥画素の補間、ホワイトバランスの補正等の機能を有するＡＳＩＣである。尚、これらの機能は、制御部２０で実行するソフトウェアで実現してもよいし、パーソナルコンピュータ（ＰＣ）等の外部システムで実現してもよい。
【００１５】
センサ駆動部３２は、イメージセンサ３を駆動するためのパルス信号などを出力する回路である。照明部３３は、発光ダイオード等の光源、光源から放射された光を均一に拡げる導光体などで構成されている。照明部３３は、原稿台６に載置された原稿８を原稿台６の下方から照明する。尚、照明部３３は、キセノンランプ等を用いた管照明装置などから構成されていてもよい。
【００１６】
インタフェース部３６は、ＰＣ等の外部システムとスキャナ１とを通信可能に接続する。これによりスキャナ１をＰＣで制御したり、読み取った画像を外部システムに送信することができる。
制御部２０は、ＣＰＵ２２、ＲＯＭ２４及びＲＡＭ２６を備える。ＣＰＵ２２はＲＯＭ２４に記憶されているプログラムを実行してスキャナ１の各部を制御する。ＲＯＭ２４は各種プログラム、各種データなどを記憶する不揮発性のメモリであり、ＲＡＭ２６は各種プログラム、各種データなどを一時的に記憶するメモリである。
【００１７】
図２に示すように、キャリッジ１０は、原稿台６の盤面に対して平行で主走査方向に垂直な方向（以下、副走査方向という。）に延伸するガイドロッド１１に、摺動自在に嵌合している。キャリッジ１０には、撮像ユニットとしての密着型イメージセンサモジュール１６が搭載されている。
図３に示すキャリッジ駆動部３４は、図示しないモータ、駆動回路、プーリ１２、駆動ベルト１３を備える（図２参照）。モータが駆動回路に駆動されて回転すると、その回転によりプーリ１２に掛けられた駆動ベルト１３に牽引されて、キャリッジ１０は副走査方向に往復移動する。これによりイメージセンサ３の主走査線は副走査方向に移動する。
【００１８】
図４及び図５はキャリッジ１０と密着型イメージセンサモジュール１６の斜視図であり、図１は図４のＡ−Ａ線における断面図である。図６は密着型イメージセンサモジュール１６の組立て方法を示す斜視図である。
図１に示すように、密着型イメージセンサモジュール１６は、ばね１００を介してキャリッジ１０に支持されている。具体的には、ばね１００の一端はキャリッジ１０のばね固定用の溝１０ａ（図５参照）でキャリッジ１０に固定され、他端はイメージセンサ３が実装されているプリント基板１６８に当接している。このばね１００の弾性力により、図２に示すように密着型イメージセンサモジュール１６の原稿台６側に突出する当接部１６００が原稿台６に当接した状態で、密着型イメージセンサモジュール１６は原稿台６側に付勢されている。これにより密着型イメージセンサモジュール１６は振動などにより原稿台６から離間することはなく、レンズアレイ１６０の前側焦点は原稿台６に載置された原稿８の読み取り面に固定される。
【００１９】
密着型イメージセンサモジュール１６は、イメージセンサ３、レンズアレイ１６０、第一ハウジングとしてのメインハウジング１６２、第二ハウジングとしてのサブハウジング１６４等から構成されている（図６参照）。
イメージセンサ３は、例えばプリント基板１６８を介してメインハウジング１６２に固定され、レンズアレイ１６０を透過した光以外が受光面４ａに入射しないようにメインハウジング１６２とサブハウジング１６４とにより遮光されている。具体的には、プリント基板１６８はメインハウジング１６２のボス１６２０がプリント基板１６８の穴部１６８ａを貫通した状態でボス１６２０の先端を熱かしめすることによりメインハウジング１６２に固定されている。そしてイメージセンサ３は、メインハウジング１６２とサブハウジング１６４との間に形成されている開口部１６０２を除いてメインハウジング１６２とサブハウジング１６４とプリント基板１６８とにより周囲を覆われている。開口部１６０２はイメージセンサ３の受光面４ａ上に開口しており、レンズアレイ１６０の透過光は開口部１６０２を通過してイメージセンサ３の受光面４ａに入射する。尚、イメージセンサ３はメインハウジング１６２に固定されると説明したが、メインハウジング１６２とサブハウジング１６４の両方に固定されてもよいし、サブハウジング１６４に固定されてもよい。またイメージセンサ３は、例示した熱かしめ以外の方法で固定されてもよい。
【００２０】
レンズアレイ１６０は、直線状に配列された複数の円柱形状のレンズを有し、イメージセンサ３の受光面４ａに原稿８の正立等倍像を結像させる。レンズアレイ１６０は、メインハウジング１６２とサブハウジング１６４とに挟まれた状態で、メインハウジング１６２とサブハウジング１６４に接合されている。具体的にはレンズアレイ１６０の長手方向の両側壁１６０ａ、１６０ｂは、それぞれに対向するメインハウジング１６２の外壁１６２ａとサブハウジング１６４の外壁１６４ａとに両面テープ１０２、１０４で接着されている。尚、レンズアレイ１６０はメインハウジング１６２のみに接合されてもよい。またレンズアレイ１６０は、両面テープで接着する方法以外の方法でメインハウジング１６２に接合されてもよい。
【００２１】
サブハウジング１６４は、上述したようにレンズアレイ１６０をメインハウジング１６２との間に挟んだ状態で、メインハウジング１６２と結合されている。具体的には、サブハウジング１６４は、メインハウジング１６２のボス１６２２がサブハウジング１６４の穴部１６４０を貫通した状態でボス１６２２の先端を熱かしめすることにより、メインハウジング１６２に結合されている。尚、サブハウジング１６４は熱かしめ以外の方法でメインハウジング１６２に結合されてもよい。
以上、スキャナ１の構成について説明した。次に、密着型イメージセンサモジュール１６の組立て工程について、レンズアレイ１６０のメインハウジング１６２への接合工程、サブハウジング１６４のメインハウジング１６２への結合工程の順に説明する。
【００２２】
図７はレンズアレイ１６０のメインハウジング１６２への接合工程を示す模式図である。メインハウジング１６２にレンズアレイ１６０を接合する工程では、レンズアレイ１６０をメインハウジング１６２とその光軸方向に位置合わせした状態でメインハウジング１６２にレンズアレイ１６０を接近させることにより、メインハウジング１６２の外壁１６２ａにレンズアレイ１６０の側壁１６０ａを接合する。以下にこの工程の一例を詳細に説明する。
【００２３】
まず、レンズアレイ１６０をその光軸方向に位置決めした状態で作業台１１０上をレンズアレイ１６０の側壁１６０ａと垂直な方向に移動可能な治具１１２にレンズアレイ１６０を取付ける（図７（Ａ）参照）。例えば治具１１２は、ばね１１２０の弾性力により座部１１２２にレンズアレイ１６０の底部を押しつけることによりレンズアレイ１６０をその光軸方向に位置決めし、レンズアレイ１６０の側壁１６０ａを吸引することによりレンズアレイ１６０が脱落しないようにレンズアレイ１６０を固定する。そして治具１１２は、車輪１１２４が回転することにより作業台１１０上をレンズアレイ１６０の側壁１６０ａと垂直な方向に移動可能である。
【００２４】
次に、作業台１１０にメインハウジング１６２を固定する。このように作業台１１０にメインハウジング１６２を固定し、作業台１１０上を移動する治具１１２にレンズアレイ１６０をその光軸方向に位置決めすることにより、レンズアレイ１６０をその光軸方向にメインハウジング１６２と位置合わせすることができる。次に、レンズアレイ１６０の側壁１６０ａに両面テープ１０２を貼付ける。次に、治具１１２をメインハウジング１６２に向けて移動させることによりメインハウジング１６２の外壁１６２ａにレンズアレイ１６０の側壁１６０ａを接近させ、両面テープ１０２をメインハウジング１６２の外壁１６２ａに押しつけることにより、メインハウジング１６２の外壁１６２ａにレンズアレイ１６０の側壁１６０ａを両面テープ１０２で接着する（図７（Ｂ）参照）。このようにしてレンズアレイ１６０をその光軸方向にメインハウジング１６２と位置合わせした状態でメインハウジング１６２にレンズアレイ１６０を接合するため、レンズアレイ１６０はメインハウジング１６２に対してその光軸方向に精度よく位置決めしてメインハウジング１６２に組み付けることができる。
【００２５】
ここでイメージセンサ３はメインハウジング１６２に固定されているため、レンズアレイ１６０はイメージセンサ３に対してもその光軸方向に精度よく位置決めされる。この結果、イメージセンサ３の受光面４ａにレンズアレイ１６０の後側焦点を精度よく固定できるため、密着型イメージセンサモジュール１６は組立て後に焦点調整を行うための構造を備える必要がない。したがって、密着型イメージセンサモジュール１６の部品点数を削減でき構造を簡素化することができる。さらにメインハウジング１６２の外壁１６２ａは、肉厚の金型で射出成形可能なため平坦に成形可能である。そのメインハウジング１６２の外壁１６２ａにレンズアレイ１６０を接合することにより、レンズアレイ１６０をその短手方向にも精度よく位置決めして、メインハウジング１６２及びサブハウジング１６４に組み付けることができる。この結果、レンズアレイ１６０の光軸がイメージセンサ３の受光面４ａからレンズアレイ１６０の短手方向、すなわちスキャナ１の副走査方向にずれることを防止できる。このようにレンズアレイ１６０をイメージセンサ３に対して精度よく位置決めできるため、スキャナ１の読み取り画像の画質を向上することができる。尚、両面テープ１０２は、メインハウジング１６２の外壁１６２ａに貼付けてもよい。また、作業台１１０に固定したメインハウジング１６２にレンズアレイ１６０を接近させたが、固定したレンズアレイ１６０にメインハウジング１６２を接近させてもよい。以上説明したメインハウジング１６２にレンズアレイ１６０を接合する工程が請求項に記載の「レンズ接合工程」に相当する。
【００２６】
メインハウジング１６２にサブハウジング１６４を結合する工程では、レンズアレイ１６０をメインハウジング１６２とサブハウジング１６４との間に挟み込んだ状態で、メインハウジング１６２にサブハウジング１６４を結合する。以下にこの工程の一例を詳細に説明する。
まず、サブハウジング１６４の外壁１６４ａ又はレンズアレイ１６０の側壁１６０ｂに両面テープ１０４を貼付ける。次に、レンズアレイ１６０を接着した状態のメインハウジング１６２のボス１６２２をサブハウジング１６４の穴部１６４０に貫通させ、メインハウジング１６２にサブハウジング１６４を接近させる。このようにしてレンズアレイ１６０の側壁１６０ｂ又はサブハウジング１６４の外壁１６４ａに両面テープ１０４を押しつけることにより、レンズアレイ１６０の側壁１６０ｂとサブハウジング１６４の外壁１６４ａとを両面テープ１０４で接着する。次に、この状態でメインハウジング１６２のボス１６２２を熱かしめによりメインハウジング１６２とサブハウジング１６４とを結合する。以上説明したメインハウジング１６２にサブハウジング１６４を結合する工程が請求項に記載の「ハウジング結合工程」に相当する。
【００２７】
以上説明したスキャナ１の密着型イメージセンサモジュール１６によると、メインハウジング１６２にレンズアレイ１６０を接合した後にメインハウジング１６２とサブハウジング１６４とを結合することにより、レンズアレイ１６０の透過光以外の光のイメージセンサ３の受光面４ａへの入射を遮ることができる。従来のようにハウジングに形成したスリットにレンズアレイを挿入することなく密着型イメージセンサモジュール１６の組立てが可能なため、メインハウジング１６２又はサブハウジング１６４とレンズアレイ１６０とが接触することにより発生する削り屑がレンズアレイ１６０やイメージセンサ３に付着することを防止でき、密着型イメージセンサモジュール１６の歩留まりを向上することができる。
また、レンズアレイ１６０を両面テープ１０２、１０４でメインハウジング１６２とサブハウジング１６４とに固定し、プリント基板１６８とサブハウジング１６４とをそれぞれメインハウジング１６２に熱かしめで固定しているため、これらを接着剤で固定する場合と比較して、単位時間当たりに製造可能な製品数を増大させることができ、接着剤塗布機のような大型の設備が不要になる。
【図面の簡単な説明】
【００２８】
【図１】キャリッジに搭載した状態の密着型イメージセンサモジュールの断面図。
【図２】本発明の一実施例によるスキャナの模式図。
【図３】本発明の一実施例によるスキャナのブロック図。
【図４】キャリッジと密着型イメージセンサモジュールの斜視図。
【図５】キャリッジと密着型イメージセンサモジュールの斜視図。
【図６】密着型イメージセンサモジュールの組立て方法を示す斜視図。
【図７】レンズアレイのメインハウジングへの接合工程を示す模式図。
【符号の説明】
【００２９】
１  スキャナ（画像形成装置）、３  イメージセンサ、４ａ  受光面、６  原稿台（プラテン）、８  原稿（対象物）、１６  密着型イメージセンサモジュール（撮像ユニット）、１０２、１０４  両面テープ、１６０  レンズアレイ、１６０ａ  側壁（レンズアレイの長手方向に延びる側壁）、１６２  メインハウジング（第一ハウジング）、１６２ａ  外壁（第一ハウジングの外壁）、１６４  サブハウジング（第二ハウジング）、１６４ａ  外壁（第二ハウジングの外壁）
【図１】
2006311232.tif 000003
【図２】
2006311232.tif 000004
【図３】
2006311232.tif 000005
【図４】
2006311232.tif 000006
【図５】
2006311232.tif 000007
【図６】
2006311232.tif 000008
【図７】
2006311232.tif 000009